【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
高度計量インフラストラクチャ（ＡＭＩ）ネットワークと通信するホームエリアネットワーク（ＨＡＮ）に接続された計量デバイスを備えたシステムであって、
前記ＡＭＩネットワークと１又は複数のＨＡＮデバイスとの間のデータリンクを提供するように構成されたＡＭＩネットワークインターフェースカード（ＮＩＣ）と、
コンピュータ実行可能命令を記憶する少なくとも１つのメモリと、
前記少なくとも１つのメモリにアクセスするように構成された少なくとも１つのプロセッサと、を含み、
前記少なくとも１つのプロセッサが、前記コンピュータ実行可能命令を実行することにより、
前記少なくとも１つのプロセッサによって、ホームエリアネットワーク（ＨＡＮ）ゲートウェイのための命令を受信し、
前記命令を前記ＨＡＮゲートウェイにルーティングするために伝送エージェントに送信し、
前記伝送エージェントによって前記命令を前記ＨＡＮゲートウェイに伝送し、
前記ＨＡＮゲートウェイによって、前記１又は複数のＨＡＮデバイスの１又は複数の製造業者手順を使用して、前記命令を前記１又は複数のＨＡＮデバイスに伝送するように構成され、
前記命令が、スマートエネルギープロファイルフォーマットを有する少なくとも１つのＨＡＮメッセージを含み、
前記ＨＡＮゲートウェイ、前記伝送エージェント、および前記ＡＭＩ  ＮＩＣが、前記計量デバイスの中に組み込まれている、
システム。
【請求項２】
前記少なくとも１つのプロセッサが、前記ＨＡＮゲートウェイからＨＡＮデバイスデータを受信するために前記コンピュータ実行可能命令を実行するようにさらに構成される、請求項１記載のシステム。
【請求項３】
前記少なくとも１つのプロセッサが、前記高度計量インフラストラクチャ（ＡＭＩ）ネットワークインターフェースカード（ＮＩＣ）にルーティングするために前記ＨＡＮデバイスデータを受信エージェントに送信するべく前記コンピュータ実行可能命令を実行するようにさらに構成される、請求項２記載のシステム。
【請求項４】
前記少なくとも１つのプロセッサが、前記受信エージェントによって前記ＨＡＮデバイスデータを前記ＡＭＩ  ＮＩＣに伝送するために前記コンピュータ実行可能命令を実行するようにさらに構成される、請求項３記載のシステム。
【請求項５】
前記伝送エージェントまたは前記受信エージェントの少なくとも１つがバッファを含む、請求項３記載のシステム。
【請求項６】
前記受信エージェントが、計量デバイスの中に組み込まれている、請求項３記載のシステム。
【請求項７】
前記ＨＡＮゲートウェイのための前記命令が前記ＡＭＩ  ＮＩＣによって受信される、請求項２記載のシステム。
【請求項８】
前記ＨＡＮゲートウェイのための前記命令が手順命令を含む、請求項１記載のシステム。
【請求項９】
前記手順命令が、シーケンスフィールド、インデックスフィールド、カウントフィールド、サイズフィールド、および少なくとも１つのＨＡＮメッセージフィールドの少なくとも１つを含む、請求項８記載のシステム。
【請求項１０】
前記少なくとも１つのＨＡＮメッセージフィールドが、前記ＨＡＮゲートウェイのための前記命令のインデックスを示す、請求項９記載のシステム。
【請求項１１】
前記伝送エージェントが、シリアルペリフェラルインターフェース（ＳＰＩ）接続を介して前記命令を前記ＨＡＮゲートウェイに伝送する、請求項８記載のシステム。
【請求項１２】
高度計量インフラストラクチャ（ＡＭＩ）ネットワークと通信するホームエリアネットワーク（ＨＡＮ）に計量デバイスを接続するステップと、
前記ＡＭＩネットワークと１又は複数のＨＡＮデバイスとの間のデータリンクを提供するようにＡＭＩネットワークインターフェースカード（ＮＩＣ）を構成するステップと、
少なくとも１つのメモリにアクセスするように構成された少なくとも１つのプロセッサによって、ホームエリアネットワーク（ＨＡＮ）ゲートウェイのための命令を受信するステップと、
前記命令を前記ＨＡＮゲートウェイにルーティングするために伝送エージェントに送信するステップと、
前記伝送エージェントによって前記命令を前記ＨＡＮゲートウェイに伝送するステップと、
前記ＨＡＮゲートウェイによって、前記１又は複数のＨＡＮデバイスの１又は複数の製造業者手順を使用して、前記命令を前記１又は複数のＨＡＮデバイスに伝送するステップと、
を含み、
前記命令が、スマートエネルギープロファイルフォーマットを有する少なくとも１つのＨＡＮメッセージを含み、
前記ＨＡＮゲートウェイ、前記伝送エージェント、および前記ＡＭＩ  ＮＩＣが、前記計量デバイスの中に組み込まれている、方法。
【請求項１３】
前記ＨＡＮゲートウェイからＨＡＮデバイスデータを受信するステップをさらに含む、請求項１２記載の方法。
【請求項１４】
前記高度計量インフラストラクチャ（ＡＭＩ）ネットワークインターフェースカード（ＮＩＣ）にルーティングするために前記ＨＡＮデバイスデータを受信エージェントに送信するステップと、
前記受信エージェントによって、前記ＨＡＮデバイスデータを前記ＡＭＩ  ＮＩＣに伝送するステップとをさらに含む、請求項１２記載の方法。
【請求項１５】
前記受信エージェントが、計量デバイスの中に組み込まれている、請求項１４記載の方法。
【請求項１６】
前記ＨＡＮゲートウェイのための前記命令が、前記ＡＭＩ  ＮＩＣから受信される、請求項１２記載の方法。
【請求項１７】
前記ＨＡＮゲートウェイのための前記命令が、標準手順命令を含み、
前記標準手順命令が、シーケンスフィールド、インデックスフィールド、カウントフィールド、サイズフィールド、または少なくとも１つのＨＡＮメッセージフィールドの少なくとも１つを含む、請求項１２記載の方法。
【請求項１８】
前記少なくとも１つのＨＡＮメッセージフィールドが、前記ＨＡＮゲートウェイのための前記命令のインデックスを示す、請求項１７記載の方法。
【請求項１９】
前記伝送エージェントが、シリアルペリフェラルインターフェース（ＳＰＩ）接続を介して前記命令を前記ＨＡＮゲートウェイに伝送する、請求項１２記載の方法。
【請求項２０】
コンピュータ実行可能命令を記憶する１つまたは複数の非一時的なコンピュータ可読媒体であって、少なくとも１つのプロセッサによって実行される場合、少なくとも１つのプロセッサに、
高度計量インフラストラクチャ（ＡＭＩ）ネットワークインターフェースカード（ＮＩＣ）から、ホームエリアネットワーク（ＨＡＮ）ゲートウェイのための米国国家規格協会（ＡＮＳＩ）Ｃ１２．１９標準手順命令を受信すること、
前記標準手順命令を前記ＨＡＮゲートウェイにルーティングするために伝送エージェントに送信すること、
前記伝送エージェントによって前記標準手順命令を前記ＨＡＮゲートウェイに伝送すること、
前記ＨＡＮゲートウェイからＨＡＮデバイスデータを受信すること、
ＡＭＩ  ＮＩＣにルーティングするために前記ＨＡＮデバイスデータを受信エージェントに送信すること、および
前記受信エージェントによって、前記１又は複数のＨＡＮデバイスの１又は複数の製造業者手順を使用して、前記ＨＡＮデバイスデータを前記ＡＭＩ  ＮＩＣに伝送すること
を含む動作を実行させ、
前記命令が、スマートエネルギープロファイルフォーマットを有する少なくとも１つのＨＡＮメッセージを含み、
前記ＨＡＮゲートウェイ、前記伝送エージェント、前記受信エージェント、および前記ＡＭＩ  ＮＩＣが、前記少なくとも１つのプロセッサを含む計量デバイスの中に組み込まれる、
１つまたは複数のコンピュータ可読媒体。